(57)【要約】【課題】　ＶＣＴ機構においてロックピンをアクティブ制御するための構造を簡略化する。【解決手段】　ＶＣＴ機構において、凹部１２に対して係脱自在なロックピン１１と、角度関係を調整して維持するために加圧流体の流れを制御するスプール２２と、一組の通路とを設ける。スプール２２には、流体源から凹部１２に向かって流れかつ凹部１２から流体排出口に向かって流れる加圧流体のタイミングを制御する第１のランド１８が設けられている。一組の通路は、流体源および第２の端部と流体連絡するように配置された第１の端部を有する第１の通路１５と、第１の通路１５の第２の端部と流体連絡するように配置された第１の端部を有し、凹部１２と流体連絡する第２の端部を有する第２の通路２３と、第２の通路２３の第１の端部と流体連絡するように配置された第１の端部を有し、流体排出口と流体連絡する第２の端部を有する第３の通路１６とから構成されている。【選択図】　図１ａ
2004108370.tif 000002
【特許請求の範囲】
【請求項１】
　カムシャフトとクランクシャフトとの間、または加圧流体を使用する他のシャフトとの間の角度関係を調整して維持するための可変カムシャフトタイミング（ＶＣＴ）機構であって、角度関係を調整して維持するために、流体源から流体排出口まで流れる加圧流体を使用する位相器を有しており、前記ＶＣＴ機構は、
（ｉ）凹部１２と係合するように設けられたロックピン１１を備え、
　　　凹部１２内には加圧流体が流入してロックピン１１が凹部１２から係合解除するよ　　うに許容されており、
(ii) 角度関係を調整して維持するために加圧流体の流れを制御するスプール２２を有す　　るスプールバルブを備え、
　　　スプール２２には第１のランド１８が設けられており、第１のランド１８は、流体　　源から凹部１２に向かって流れるとともに凹部１２から流体排出口に向かって流れる　　加圧流体のタイミングを制御するように配置されており、
(iii)内部に流体が流れるように配置された一組の通路８，９，１０，１５，１６，２３　　を備え、
　　　前記一組の通路が、
　　（ａ）内部に流体が流れるように配置されるとともに、流体源および第２の端部と流　　　　体連絡するように配置された第１の端部を有する第１の通路１５と、
　　（ｂ）内部に流体が流れるように配置されるとともに、第１の通路１５の第２の端部　　　　と流体連絡するように配置された第１の端部を有し、凹部１２と流体連絡する第　　　　２の端部を有する第２の通路２３と、
　　（ｃ）内部に流体が流れるように配置されるとともに、第２の通路２３の第１の端部　　　　と流体連絡するように配置された第１の端部を有し、流体排出口と流体連絡する　　　　第２の端部を有する第３の通路１６と、
　　を有している、
ことを特徴とするＶＣＴ機構。
【請求項２】
　請求項１において、
　スプールバルブが、第２の通路２３の第１の端部と第１の通路１５の第２の端部との間の流体連絡を制御するように設けられている、
ことを特徴とするＶＣＴ機構。
【請求項３】
　請求項１において、
　スプールバルブが、第２の通路２３の第１の端部と第３の通路１６の第１の端部との間の流体連絡を制御するように設けられている、
ことを特徴とするＶＣＴ機構。
【請求項４】
　請求項１において、
　スプールバルブが、位相器の内部に配置される中央取付けのスプールバルブである、
ことを特徴とするＶＣＴ機構。
【請求項５】
　請求項１において、
　前記他のシャフトがカムシャフトまたはクランクシャフトである、
ことを特徴とするＶＣＴ機構。
【請求項６】
　請求項１において、
　前記一組の通路が、位相器のアドバンスチャンバまたはリタードチャンバに流体連絡するように配置されている、
ことを特徴とするＶＣＴ機構。
【請求項７】
　請求項１において、
　前記ＶＣＴ機構がカムトルク駆動（ＣＴＡ）型のＶＣＴシステムである、
ことを特徴とするＶＣＴ機構。
【発明の詳細な説明】
【技術分野】
【０００１】
　本発明は、可変カムシャフトタイミング（ＶＣＴ: variable camshaft timing) システムの運転を制御するための液圧制御システムに関する。より詳細には、本発明は、ＶＣＴ位相器のロックピンをロックまたはロック解除するのに利用される制御システムに関する。言い換えれば、本発明は、スプールバルブ制御のＶＣＴロックピンリリース機構に関する。
【背景技術】
【０００２】
　内燃機関の性能は、エンジンの種々のシリンダのインテークバルブを駆動するカムシャフトと、エグゾーストバルブを駆動するカムシャフトという２本のカムシャフトを使用することによって改良することが可能である。
【０００３】
　典型的には、このようなカムシャフトの一方は、第１のスプロケットおよびチェーン駆動装置または第１のベルト駆動装置を介してエンジンのクランクシャフトによって駆動され、他方のカムシャフトは、第２のスプロケットおよびチェーン駆動装置または第２のベルト駆動装置を介して、前記一方のカムシャフトによって駆動される。あるいは、双方のカムシャフトが、単一のクランクシャフトにより駆動されるチェーン駆動装置またはベルト駆動装置により運転される。
【０００４】
　２本のカムシャフトを備えたエンジンの性能は、エグゾーストバルブに対するインテークバルブの運転の点からまたはクランクシャフトの位置に対する各バルブの位置の点からエンジンタイミングを変更するために、一方のカムシャフト（通常はインテークバルブ駆動用のカムシャフト）の他方のカムシャフトおよびクランクシャフトに対する位置関係を変えることによって、アイドル運転の質、燃費、低減排気ガスおよび上昇トルクの観点からさらに改良を加えることが可能である。
【０００５】
　引用することによってすべて本明細書の中に含まれる以下の米国特許により開示された情報を考慮することは、本発明の背景を探るのに有用である。
【０００６】
　米国特許第 5,002,023号は、本発明の分野におけるＶＣＴシステムについて記述している。このシステムの液圧装置は、適切な作動流体要素を備えるとともに逆方向に作用する一対の液圧シリンダを有している。
【０００７】
　作動流体要素は、作動流体を一方のシリンダから他方のシリンダにまたはその逆方向に選択的に移送しており、これにより、クランクシャフトに対するカムシャフトの周方向位置をアドバンスさせまたはリタードさせている。
【０００８】
　制御システムは、一方または他方のシリンダからの作動流体の排出がバルブ内のスプールを中央位置つまり零位置から一方向または他の方向に移動させることによって行われる制御バルブを使用している。
【０００９】
　スプールの移動は、スプールの一端に作用する制御液圧Ｐc の増加または減少に応じて、さらにスプリングの一端に作用する液圧と他端に作用する圧縮スプリングによる機械的な押付力との間の関係に応じて、生じる。
【００１０】
　米国特許第 5,107,804号は、本発明の分野における他のタイプのＶＣＴシステムについて記述しており、このシステムの液圧装置は、囲繞されたハウジング内にローブを備えたベーンを有している。このベーンは、上述の米国特許第 5,002,023号により開示された逆方向作用のシリンダに取って代わっている。
【００１１】
　ベーンは、ハウジング内でローブの一方の側から他方の側にまたはその逆方向に作動流体を移動させることによりハウジングに対してベーンを一方の側から他方の側に振動させる適切な作動流体要素を有しており、ベーンはハウジングに対して振動可能つまり周方向に移動可能に構成されている。
【００１２】
　このようなベーンの振動は、クランクシャフトに対するカムシャフトの位置をアドバンスまたはリタードさせるのに効果的なものである。このＶＣＴシステムの制御システムは、米国特許第 5,002,023号に開示されたものと同一であって、スプールバルブに作用する同種の力に反応する同一タイプのスプールバルブを使用している。
【００１３】
　米国特許第 5,172,659号および米国特許第 5,184,578号はいずれも、スプールの一端に作用する液圧による力とスプールの他端に作用する機械的な力とを釣り合わせようとする試みによって発生する、上述したタイプのＶＣＴシステムの問題に取り組んでいる。
【００１４】
　米国特許第 5,172,659号および米国特許第 5,184,578号の双方に開示された改良制御システムは、スプールの両端に作用する液圧による力を利用している。スプールの一端に作用する液圧による力は、最大液圧Ｐs でエンジンオイルギャラリから直接供給される作動流体に起因している。
【００１５】
　スプールの他端に作用する液圧による力は、減圧Ｐc 下でＰＷＭソレノイドからの作動流体に反応して作用する液圧シリンダまたはその他の倍力装置に起因している。スプールの対向端の各々に作用する力が元々同じ作動流体に基づいた液圧であるため、作動流体の圧力または粘性の変化は自己否定的なものであって、スプールの中央位置または零位置には影響を与えない。
【００１６】
　米国特許第 5,289,805号は、改良されたＶＣＴ方法を提供している。この方法は、所定の設定値を追跡する挙動を生じさせる液圧ＰＷＭスプール位置制御および進んだ制御アルゴリズムを利用している。
【００１７】
　米国特許第 5,361,735号においては、カムシャフトが、非振動の回転のために一端に固定されたベーンを有している。カムシャフトはまた、カムシャフトとともに回転しかつカムシャフトに対して振動可能なタイミングベルト駆動のプーリを有している。ベーンは、プーリの対向凹部内にそれぞれ受け入れられた対向配置のローブを有している。カムシャフトは、通常の運転中に発生するトルクパルスに反応して変化する傾向がある。
【００１８】
　カムシャフトは、エンジン制御ユニットからの信号に反応して制御バルブのバルブ本体内でのスプールの位置を制御することによって、凹部からのエンジンオイルの流れを選択的に許容しまたは阻止することにより、アドバンスしまたはリタードするようになっている。スプールは、好ましくはステッピングモータ型の電気モータによって回転させられるロータリー・リニア運動移動手段によって一定の方向に付勢されている。
【００１９】
　米国特許第 5,497,738号は、ＶＣＴシステムの実施態様で利用された最大液圧Ｐs においてエンジンオイルギャラリから直接供給された作動流体に起因してスプールの一端に作用する液圧による力を除去する制御システムについて開示している。
【００２０】
　ベントスプールの他端に作用する力は、好ましくは可変力ソレノイド型の電気機械的アクチュエータによるものであり、この力は、種々のエンジンパラメータを監視するエンジン制御ユニット（ＥＣＵ）から出力された電気信号に反応してベントスプールに直接作用している。
【００２１】
　ＥＣＵは、カムシャフト位置およびクランクシャフト位置に対応するセンサ信号を受け取り、この位置情報を利用して相対位相角を計算する。好ましくは、位相角誤差を補償するクローズドループフィードバックシステムが採用されている。可変力ソレノイドの使用が、緩慢な動的応答性の問題を解決する。
【００２２】
　このような装置は、スプールバルブの機械的応答性と同程度に速くなるように設計でき、確かに従来の完全液圧差圧制御システムよりもずっと速くなっている。応答性が速くなることにより、増加したクローズドループゲインを使用することができ、これにより、構成要素の許容誤差および運転環境に対してシステムがそれほど敏感でないようにすることが可能である。
【００２３】
　米国特許第 5,657,725号は、駆動のためにエンジンオイル圧を利用する制御システムを示している。このシステムは、ベーンが一端に固定されたカムシャフトを有しており、ベーンはカムシャフトとともに回転可能でカムシャフトに対して振動しないようになっている。カムシャフトはまた、カムシャフトとともに回転しかつカムシャフトとともに振動するハウジングを有している。
【００２４】
　ベーンは、ハウジングの対向凹部内に受け入れられた対向ローブを有している。ベーンおよびハウジングが相対的に振動でき、これにより、カムシャフトの位相がクランクシャフトの位相に対して変化するように、凹部はローブよりも周方向長さが長くなっている。カムシャフトは、通常の運転中に受けるエンジンオイル圧および（または）カムシャフトトルクパルスに反応して方向を変える。
【００２５】
　エンジン運転状態を示すエンジン制御ユニットからの信号に反応してスプールバルブ本体内のスプールの位置を制御することによって、カムシャフトは、凹部からリターンラインを通るエンジンオイルの流れを選択的に許容しまたは阻止することにより、アドバンスまたはリタードすることができる。
【００２６】
　スプールは、エンジン制御ユニットからの信号に反応してその対向端に作用する液圧による力を制御することによって、選択的に配置される。ベーンは、回転中にカムシャフトが受ける一方向の摩擦トルクに対して反作用の力を作用させるように、最も端の位置に付勢されている。
【００２７】
　米国特許第 6,247,434号は、エンジンオイルによって駆動される多数位置可変カムシャフトタイミングシステムを示している。このシステム内には、カムシャフトに同期して回転するようにハブがカムシャフトに固定されている。
【００２８】
　また、ハウジングがハブを囲繞しており、ハウジングは、ハブおよびカムシャフトとともに回転可能であり、所定の回転角の範囲内でハブおよびカムシャフトに対して振動可能になっている。
【００２９】
　ドライブベーンは、ハウジング内において半径方向に配置されており、ハブの外面と協働する。ドリブンベーンは、ハウジング内において半径方向に配置されており、ハブの内面と協働する。ロック装置は、油圧に反応して、ハウジングおよびハブ間の相対運動を防止している。また制御装置が、ハブに対するハウジングの振動を制御している。
【００３０】
　米国特許第 6,250,265号は、内燃機関のためのアクチュエータロック機構を備えた可変バルブタイミングシステムを示している。この可変バルブタイミングシステムは、ベーンが固定されたカムシャフトを有しており、ベーンは、カムシャフトとともに回転しかつカムシャフトに対して振動しないようになっている。
【００３１】
　ベーンは、周方向に延びかつ半径方向外方に延びる複数のローブを有している。ベーンは、各ローブに対応する複数の凹部を有する環状ハウジングによって囲繞されており、各ローブは、対応する各凹部に受け入れられている。
【００３２】
　ハウジングがカムシャフトおよびベーンとともに回転しているときにベーンおよびカムシャフトに対するハウジングの振動を許容するように、各凹部は、ローブの周方向長さよりも長い周方向長さを有している。ベーンおよびカムシャフトに対するハウジングの振動は、ローブの対向側の各凹部内の加圧エンジンオイルによって励起されている。
【００３３】
　好ましくは、凹部内の油圧は、運転中のカムシャフトの回転時に、カムシャフトのトルクパルスから一部引き出されている。環状ロックプレートは、カムシャフトおよび環状ハウジングと同芯に配置されている。
【００３４】
　また、環状ロックプレートは、ロックプレートが環状ハウジングと係合してベーンに対する周方向の動きを防止する第１の位置と、ベーンに対する環状ハウジングの周方向の動きを許容する第２の位置との間で、カムシャフトの長手方向の中心軸に沿って環状ハウジングに対して移動可能になっている。
【００３５】
　ロックプレートは、第１の位置に向かってスプリングにより付勢されるとともに、エンジンオイル圧により、第１の位置から離れて第２の位置に向かって押圧される。
【００３６】
　ロックプレートは、エンジンオイル圧がスプリングの付勢力に打ち勝つほど十分に高いときに、これは環状ハウジングおよびベーンの相対位置を変化させるように要求される唯一のときであるが、カムシャフトを挿通する流路によって第２の位置にさらされる。ロックプレートの移動は、クローズドループ制御システムまたはオープンループ制御システムを介して、エンジン電子制御ユニットにより制御されている。
【００３７】
　米国特許第 6,263,846号は、ベーン型可変カムシャフトタイミングシステムのための制御バルブを示している。この制御バルブは、カムシャフトおよびこれに固定されてカムシャフトとともに回転するハブを有する内燃機関を含んでいる。
【００３８】
　また、ハウジングがハブを囲繞しており、ハウジングは、ハブおよびカムシャフトとともに回転可能であり、ハブおよびカムシャフトに対して振動可能になっている。ドライブベーンは、ハウジング内において半径方向内方に配置されており、ハブとともに協働する。
【００３９】
　ドリブンベーンは、ハウジングと協働するようにハブ内において半径方向外方に配置されている。また、ドリブンベーンは、アドバンスチャンバおよびリタードチャンバを周方向に交互に限定するように、ドライブベーンと周方向に交互に配置されている。
【００４０】
　ハブに対するハウジングの振動を制御するための構成は、電子エンジン制御ユニットと、電子エンジン制御ユニットに反応してアドバンスチャンバに対するエンジンオイル圧を調整するアドバンス制御バルブとを有している。
【００４１】
　電子エンジン制御ユニットに反応するリタード制御バルブは、リタードチャンバに対してエンジンオイル圧を調整する。アドバンス通路は、アドバンス制御バルブおよびアドバンスチャンバ間でエンジンオイル圧を伝達する。リタード通路は、リタード制御バルブおよびリタードチャンバ間でエンジンオイル圧を伝達する。
【００４２】
　米国特許第 6,311,655号は、ベーン取付けのロックピストン装置を有する多数位置可変カムタイミングシステムを示している。カムシャフトおよび可変カムシャフトタイミングシステムを有する内燃機関において、ロータはカムシャフトに固定されるとともに、カムシャフトに対して回転可能で振動しないように構成されている。
【００４３】
　ハウジングは、ロータを囲繞するとともに、ロータおよびカムシャフトの双方に対して回転可能になっており、さらに、最リタード位置および最アドバンス位置間においてロータおよびカムシャフトの双方に対して振動可能になっている。
【００４４】
　ロック装置は、ロータまたはハウジングのいずれか一方の内部に設けられるとともに、最リタード位置、最アドバンス位置およびこれらの間の位置において、ロータまたはハウジングのいずれか他方に係脱可能に係合しており、ロータおよびハウジング間の相対運動を防止している。
【００４５】
　ロック装置は、ロータをハウジングに固定するために、キーとその逆側に設けられたセレーションとを備えたロックピストンを有している。制御装置は、ハウジングに対するロータの振動を制御する。
【００４６】
　米国特許第 6,374,787号は、エンジンオイル圧によって駆動される多数位置可変カムシャフトタイミングシステムを示している。ハブがカムシャフトに同期して回転するようにカムシャフトに固定されている。ハウジングは、ハブを囲繞しており、ハブおよびカムシャフトとともに回転するとともに、所定の回転角の範囲内でハブおよびカムシャフトに対して振動するようになっている。
【００４７】
　ドライブベーンは、ハウジング内において半径方向に配置されており、ハブの外面と協働している。ドリブンベーンは、ハブ内において半径方向に配置されており、ハウジングの内面と協働している。油圧に反応するロック装置は、ハウジングおよびハブ間の相対運動を防止している。制御装置は、ハブに対するハウジングの振動を制御している。
【００４８】
　米国特許第 6,477,999号は、非振動の回転のために、その一端にベーンが固定されたカムシャフトを示している。カムシャフトはまた、カムシャフトとともに回転しかつカムシャフトに対して振動可能なスプロケットを有している。
【００４９】
　ベーンは、スプロケットの対向凹部内にそれぞれ受け入れられた対向配置のローブを有している。凹部は、ベーンおよびスプロケットが互いに振動するのを許容するように、ローブよりも大きな周方向長さを有している。カムシャフトの位相は、通常の運転中に受けるパルスに反応して変化する傾向がある。
【００５０】
　カムシャフトの位相は、制御バルブのバルブ本体内におけるスプールの位置を制御して、凹部からの加圧作動流体（好ましくはエンジンオイル）の流れを選択的に阻止しまたは許容することにより、アドバンスまたはリタード方向という一定の方向にのみ変化するように許容されている。
【００５１】
　スプロケットは、カムシャフトの回転軸から離れて該回転軸に平行に延びる貫通通路を有している。ピンは、通路内にスライド可能に設けられており、ピンの自由端が通路を越えて突出する位置までスプリングによって弾性的に付勢されている。ベーンは、ポケットを有するプレートを備えており、該ポケットは所定のスプロケットの通路と整列している。
【００５２】
　ポケットは作動流体を受け入れており、流体圧が通常の運転レベルにあるとき、ポケット内には、ピンの自由端がポケットに入らないようにするのに十分な圧力がある。その一方、液圧レベルが低いときには、ピンの自由端がポケット内に入り、カムシャフトおよびスプロケットと所定の向きに係合する。
【００５３】
　内燃機関は、エンジン性能の改良または排ガスの低減のために、カムシャフトおよびクランクシャフト間の角度を変化させる種々の機構を採用してきた。これらの可変カムシャフトタイミング（ＶＣＴ）機構の多くは、エンジンカムシャフトに一つまたはそれ以上の「ベーン位相器」を使用している。
【００５４】
　大抵の場合、位相器は、一つまたはそれ以上のベーンを備えたハウジングを有している。ベーンは、カムシャフトの端部に取り付けられるとともに、ハウジングによって囲繞されている。ハウジングは、ベーンが装着されるベーンチャンバを有している。
【００５５】
　ベーンをハウジングに取り付けるとともに、チャンバをハウジングに設けることも同様に可能である。ハウジングの外周は、チェーン、ベルトまたはギヤを介して通常カムシャフトからの駆動力を受け入れるスプロケット、プーリまたはギヤを形成している。
【００５６】
　位相器は完全にシールすることができないので、漏れによるオイル損失の影響を受ける。通常のエンジン運転時には、エンジンオイルポンプによって発生するオイルの圧力および流れは、位相器をオイルで満たして完全な作動状態にするのに十分なものである。
【００５７】
　その一方、エンジンの停止時には、ＶＣＴ機構からオイルが漏れる。エンジン始動時において、エンジンオイルポンプが油圧を発生させるまでは、チャンバ内の制御油圧不足により、位相器が過度に振動して、ノイズが発生し、その結果、機構に損傷を与える可能性がある。また、エンジンの始動時には、位相器を特定の位置にロックしておくのが望ましい。
【００５８】
　従来の位相器で採用された一つの方法は、チャンバ内に十分なオイルが存在していないときに、位相器をクランクシャフトに対して特定の位相角位置にロックするロックピンを導入することである。このようなロックピンは、典型的には、係合側にスプリング付勢されるとともに、エンジンオイル圧により解放されるようになっている。
【００５９】
　エンジンの停止時には、スプリング付勢のピンが位相器に係合してこれをロックするような所定の低い値にエンジンオイル圧が到達する。エンジン始動時には、ピンを解放するのに十分な圧力をエンジンオイルポンプが発生させるまで、ピンは係合した状態のままである。
【００６０】
　従来において採用されたその他の方法は、ロックピンを駆動するのに別個の液圧通路、液圧ラインまたは液圧制御システムを有しており、これらの液圧通路、液圧ラインまたは液圧制御システムは、独立したスプールバルブによって、あるいは電気または電磁ロック機構によって、制御される。
【００６１】
　ロックピンをアクティブ制御する場合、ＶＣＴ機構を制御するスプールバルブと同じスプールバルブを使用するＶＣＴシステムを構成するのが望ましい。言い換えれば、ＶＣＴ機構を制御するのにスプールバルブを利用する可変カムタイミングシステムが、ロックピンの制御にアクティブに用いられる。
【００６２】
　さらに、スプール上の多数のランドの位置は、オイル源からのオイルが、ロックピンおよびリタードチャンバ（またはアドバンスチャンバ）の双方に供給されるか否かに直接影響を与える。
【特許文献１】米国特許第 5,002,023号明細書
【特許文献２】米国特許第 5,107,804号明細書
【特許文献３】米国特許第 5,172,659号明細書
【特許文献４】米国特許第 5,184,578号明細書
【特許文献５】米国特許第 5,289,805号明細書
【特許文献６】米国特許第 5,361,735号明細書
【特許文献７】米国特許第 5,497,738号明細書
【特許文献８】米国特許第 5,657,725号明細書
【特許文献９】米国特許第 6,247,434号明細書
【特許文献１０】米国特許第 6,250,265号明細書
【特許文献１１】米国特許第 6,263,846号明細書
【特許文献１２】米国特許第 6,311,655号明細書
【特許文献１３】米国特許第 6,374,787号明細書
【特許文献１４】米国特許第 6,477,999号明細書
【発明の開示】
【発明が解決しようとする課題】
【００６３】
　本発明が解決しようとする課題は、ロックピンをアクティブ制御するための構成を簡略化する点である。
【課題を解決するための手段】
【００６４】
　本発明は、ＶＣＴ機構を制御するためのスプールバルブを用いて、ロックピンのアクティブ制御をも行うようにしたことを最も主要な特徴とする。
【００６５】
　請求項１の発明は、カムシャフトとクランクシャフトとの間、または加圧流体を使用する他のシャフトとの間の角度関係を調整して維持するための可変カムシャフトタイミング（ＶＣＴ）機構であって、角度関係を調整して維持するために、流体源から流体排出口まで流れる加圧流体を使用する位相器を有している。ＶＣＴ機構は、凹部と係合するように設けられたロックピンを備え、凹部内には加圧流体が流入してロックピンが凹部から係合解除するように許容されている。また、ＶＣＴ機構は、角度関係を調整して維持するために加圧流体の流れを制御するスプールを有するスプールバルブを備え、スプールには第１のランドが設けられており、第１のランドは、流体源から凹部に向かって流れるとともに凹部から流体排出口に向かって流れる加圧流体のタイミングを制御するように配置されている。さらに、ＶＣＴ機構は、内部に流体が流れるように配置された一組の通路を備え、前記一組の通路が、流体源および第２の端部と流体連絡するように配置された第１の端部を有する第１の通路と、第１の通路の第２の端部と流体連絡するように配置された第１の端部を有し、凹部と流体連絡する第２の端部を有する第２の通路と、第２の通路の第１の端部と流体連絡するように配置された第１の端部を有し、流体排出口と流体連絡する第２の端部を有する第３の通路とを有している。
【００６６】
　請求項２の発明では、請求項１において、スプールバルブが、第２の通路の第１の端部と第１の通路の第２の端部との間の流体連絡を制御するように設けられている。
【００６７】
　請求項３の発明では、請求項１において、スプールバルブが、第２の通路の第１の端部と第３の通路の第１の端部との間の流体連絡を制御するように設けられている。
【００６８】
　請求項４の発明では、請求項１において、スプールバルブが、位相器の内部に配置される中央取付けのスプールバルブである。
【００６９】
　請求項５の発明では、請求項１の発明における他のシャフトが、カムシャフトまたはクランク　シャフトである。
【００７０】
　請求項６の発明では、請求項１の発明における一組の通路が、位相器のアドバンスチャンバまたはリタードチャンバに流体連絡するように配置されている。
【００７１】
　請求項７の発明では、請求項１において、ＶＣＴ機構がカムトルク駆動（ＣＴＡ）型のＶＣＴシステムである。
【００７２】
　ＶＣＴシステムにおいて、ＶＣＴ機構を制御しかつロックピンをアクティブ制御するのに、ＶＣＴ機構の制御に用いられるスプールバルブと同じスプールバルブを使用する機構が提供されている。
【００７３】
　中央配置の制御バルブを有する位相器を備えたＶＣＴシステムにおいて、通路が追加されている。追加された通路は、第１に、ＶＣＴ機構システムを満たす供給源オイルと共通の供給源オイルと連絡するための通路であり、第２に、オイルをロックピンに対して導く通路であり、第３に、オイルがロックピンから供給タンクに戻るように流れるのを許容するベント通路である。
【００７４】
　スプールには、追加された通路を制御する別のランドが設けられている。カムシャフトとクランクシャフトとの間、または加圧流体を使用する他のシステムとの間の角度関係を調整して維持するためのＶＣＴ機構が設けられている。ＶＣＴ機構は、角度関係を調整して維持するために加圧流体を使用する位相器を有している。
【００７５】
　加圧流体は、流体源から流体排出口まで流れる。ＶＣＴ機構は、凹部と係合するように設けられるとともに加圧流体の流入により凹部から係合解除されるように設けられたロックピンと、角度関係を調整して維持するための加圧流体の流れを制御するスプールバルブと、流体源から凹部に向かって流れるとともに凹部から流体排出口に向かって流れる加圧流体のタイミングを制御するように特別に設けられたランドと、流体が流入するように配置された一組の通路とを備えている。
【００７６】
　一組の通路は、流体が流入するように設けられるとともに、流体源および第２の端部と流体連絡するように配置された第１の端部を有する第１の通路と、流体が流入するように設けられるとともに、第１の通路の第２の端部と流体連絡するように設けられた第１の端部を有し、凹部と流体連絡する第２の端部を有する第２の通路と、第２の通路の第１の端部と流体連絡するように設けられた第１の端部を有し、流体排出口と流体連絡する第２の端部を有する第３の通路とを備えている。
【００７７】
本発明およびその目的をさらに理解するためには、図面、図面の簡単な説明、本発明の好ましい実施態様の詳細な説明および特許請求の範囲に注意が向けられるべきである。
【発明の効果】
【００７８】
　本発明によれば、ＶＣＴ機構の制御に用いられるスプールバルブを用いて、ロックピンのアクティブ制御を行うようにしたので、ロックピンの制御のために別個のスプールバルブを設ける必要がなくなり、これにより、構造を簡略化できる。
【発明を実施するための最良の形態】
【００７９】
　以下、本発明の実施態様を添付図面に基づいて説明する。
内燃機関は、エンジン性能を改良しまたは排ガスを低減させるために、クランクシャフトに対するカムシャフトの角度を位相調整する種々の機構を採用してきた。このような機構の一つは、可変カムシャフトタイミング（ＶＣＴ）機構である。
【００８０】
　大半のＶＣＴ機構は、作動流体としてエンジンオイルを使用して運転されている。ＶＣＴ機構の多くは１００％シールされないので、漏れによるオイル損失の影響を受ける。通常のエンジン運転時には、エンジンオイルポンプによって発生するオイルの圧力および流れは、ＶＣＴをオイルで満たして機能状態にしておくのに一般に十分なものである。
【００８１】
　しかしながら、エンジンの停止時には、ＶＣＴ機構からオイルが漏出する傾向がある。このため、続いて起こるエンジン始動時に、油圧不足によりＶＣＴが過度に振動する場合がある。
【００８２】
　図１ａ〜図１ｄは、本発明の制御システムを示しており、図１ａは零位置を、図１ｂはアドバンス位置を、図１ｃはロックピンが解除されたリタード位置を、図１ｄはロックピンが係合したリタード位置をそれぞれ示している。各図において、円筒状のスプール２２は、第１ないし第３のランド１８，１９，２０を有しており、各ランドは穴１７にスライド自在に支持されている。
【００８３】
　エンジンオイル供給路１３は、チェックバルブを有する通路１４を介して、またエンジンオイル供給路１３のようなオイル供給路と直接流体連絡する第１の通路１５を介して、穴１７に接続されている。オイル供給路が標準的なＶＣＴ機構のための手段を提供しているということが注目される。
【００８４】
　言い換えれば、第１の通路１５がなくても、エンジンオイル供給路１３が依然としてＶＣＴ機構のためのオイル供給を維持している。第１の通路１５は、本発明を実行するために、エンジンオイル供給路１３から分岐している。
【００８５】
　第２の通路２３またはロック通路Ｌは、ロックピン１１に通じている。ロックピン１１は、凹部１２内に係合することにより位相器を所定位置にロックするように設けられている。第２の通路２３は、ロックピン１１に対してオイルを導入または導出するために用いられている。
【００８６】
　第３の通路１６またはベント通路Ｖは、図示しないエンジンオイル排出口に接続されている。第３の通路１６は、ＶＣＴシステム内の循環オイルをエンジンオイル排出口に排出する排出通路を構成している。第３の通路１６の機能の一つは、オイルをロックピン１１の領域からオイル排出口またはオイル供給口に戻すことである。
【００８７】
　通路８またはアドバンス通路Ａは、チャンバ２つまりアドバンスチャンバＡに通じており、同様に、通路１０またはリタード通路Ｒは、チャンバ３つまりリタードチャンバＲに通じている。これら２つのチャンバ２，３は、位相器の一部を構成するベーン１によって隔てられている。
【００８８】
　図１ａ〜図１ｄに示すようなカムトルク駆動の（ＣＴＡ：cam torque actuated)位相器においては、チェックバルブ６，７を有する通路９または再循環通路Ｓが、アドバンス通路Ａからリタード通路Ｒ方向にまたはその逆方向に駆動流体が移動するのを許容する再循環ラインを提供している。
【００８９】
　駆動流体の方向は、「内燃機関のための可変カムシャフトタイミング」という名称の米国特許第 5,107,804号に記述されているように、スプールバルブの位置により決定される。なお、当該米国特許は、引用することによって本件出願の中に含まれる。
【００９０】
　また、当該分野の当業者には、位相器制御に単一のスプールバルブを使用する油圧機構、ハイブリッド装置またはその他の任意の装置により直接駆動される位相器に本発明によるシステムが用いられ得るということが理解されるだろう。
【００９１】
　図１ａに示すように、スプール２２は零位置におかれている。第１のランド１８は、ロックピン１１からオイルが排出されるのを阻止する第３の通路１６（つまりベント通路Ｖ）を閉塞している。
【００９２】
　第２のランド１９は、分岐ラインである通路８（アドバンス通路Ａ）からのオイルの流れを阻止しており、第３のランド２０は、分岐ラインである通路１０（リタード通路Ｒ）からのオイルの流れを阻止している。
【００９３】
　スプールつまり実質的には分岐ラインに供給される補充オイルは、チェックバルブを有する通路１４を介して供給されており、該チェックバルブは、トルク逆転現象による圧力パルスの作用中にスプール２２から供給源にオイルが戻るのを防止している。
【００９４】
　双方の通路８，１０が閉塞された状態において、供給源からのオイルは、漏れによるオイル損失を補充するために、分岐ラインである通路９のみを通りアドバンスチャンバ２およびリタードチャンバ３に向かって移動する。通路９は、チェックバルブ６，７の設置個所を終端としている。
【００９５】
　また、双方の通路８，１０が閉塞された状態では、いずれのチェックバルブ６，７も閉じられておらず、これにより、供給源からのオイルは双方の通路４，５を通って流れる。このようにして、アドバンスチャンバ２およびリタードチャンバ３の双方がオイルで満たされた状態におかれる。
【００９６】
　このとき、オイルはアドバンスチャンバ２からリタードチャンバ３に向かって流れることはできず、その逆方向にも流れることはできない。これにより、ベーン１が効果的に所定位置にロックされる。
【００９７】
　図から分かるように、スプール２２がこの零位置におかれた状態で、供給源は、第１の通路１５を介してロックピン１１にオイルを供給しており、これにより、ロックピン１１を凹部１２との係合が解除された状態においている。
【００９８】
　図１ｂは、スプール２２がアドバンス位置におかれた状態を示している。第２のランド１９は、アドバンスチャンバＡからオイルが排出しないように通路８を閉塞している。
【００９９】
　第３のランド２０は、分岐ラインである通路１０を閉塞しておらず、これにより、リタードチャンバ３からのオイルが供給源からのオイルとともに、通路９およびチェックバルブ６を介して通路４に流れてアドバンスチャンバ２を満たすのを許容しており、それと同時に、カムトルク逆転現象がベーン１を移動させるのを許容している。
【０１００】
　図１ａと同様に、供給源からのオイルは、依然としてロックピン１１に供給されており、これにより、ロックピン１１が凹部１２から係合解除された状態が維持されている。
【０１０１】
　図１ｃは、ロックピン１１が凹部１２から係合解除された状態のリタード位置を示している。ロックピン１１に供給されるオイルの量は、ロックピン１１が凹部１２から係合解除された状態を維持するのに依然として十分なものである。
【０１０２】
　第３のランド２０は、通路１０を完全に閉塞している。アドバンスチャンバ２から通路４を通ったオイルは、供給源からのオイルと合流し、通路９からチェックバルブ７を通って、リタードチャンバ３に流入する。これにより、カムトルク逆転現象がベーンをリタード位置に移動させるのを許容する。
【０１０３】
　図１ａおよび図１ｂと同様に、供給源からのオイルは依然としてロックピン１１に供給されており、これにより、ロックピン１１が凹部１２から係合解除された状態に維持されている。
【０１０４】
　図１ｄは、ロックピン１１が凹部１２に係合した状態のリタード位置を示している。第１のランド１８は第３の通路１６を閉塞していない。第２のランド１９は、ロックピン１１を係合解除位置に維持していたオイルの供給通路である第１の通路１５を閉塞している。通路８は閉塞されていない。
【０１０５】
　第３のランド２０は、通路１０を閉塞している。第１ないし第３のランド１８，１９，２０がこのように特定の位置に配置された状態で、供給源からのオイルは、通路１４を通って穴１７に流入する。
【０１０６】
　供給源からのオイルは、アドバンスチャンバ２からのオイルとともに、チェックバルブ７を通り、リタードチャンバ３に流入してリタードチャンバ３を満たし、これにより、ベーン１を移動させる。
【０１０７】
　一方、ロックピン１１に対しては、オイルの供給がもはや存在せず、残留オイルが第３の通路１６を通って排出されるので、ロックピン１１は弾性部材２５の弾性反発力により凹部１２に係合する。
【０１０８】
　第１のランド１８および各通路１５，１６，２３の位置を逆にすることにより、本発明の教示の範囲内で、ＶＣＴ機構がリタード状態または零状態におかれているとき、ロックピンがロータを係合解除状態におくことができ、ＶＣＴ機構がアドバンス状態におかれているとき、ロックピンがロータを係合状態におくことができるということが理解される。
【０１０９】
　図１ａないし図１ｄを参照することによって分かるように、ロックピン１１においては、通路２３内のオイルと流体連絡している端部に作用する油圧と、その逆側端に作用する弾性部材２５による弾性反発力とが釣り合っている。弾性部材２５によって作用する力は、実質的に一定である。弾性部材２５はスプリングであり、より詳細には金属製のスプリングである。
【０１１０】
　図２は位相器の横断面図であり、図３および図４は図２のＡ−Ａ線断面図およびＢ−Ｂ線断面図である。これらの図は、ロータ中央にスプールバルブを有するタイプのカム位相器内に、本発明による制御システムがどのようにして取り付けられているかを示している。スプールは、通路２３，１６を含むロックピン１１近傍に対して流入または流出する駆動流体を制御するためのランド１８を有している。
【０１１１】
　図２には、本発明による位相器の正面断面部分図が示されている。より詳細には、図２は、ロックピン１１と、ロックピン１１への通路２３とを示している。ハウジング（図示せず）の内部で振動するロータが示されており、３つのベーン１がハウジングから周方向に延びている。
【０１１２】
　ロータの中央には、スプール２２が移動するのを許容する、実質的に円筒形状の開孔が形成されている。各組が同じものからなる２組の穴が提供されている。さらに、第２の通路２３が供給源とピン１１との間の流体連絡を容易にしているということに注目していただきたい。また、通路４，５は、図１ａ〜図１ｄに示されたように機能する。
【０１１３】
　図３は、図２のＡ−Ａ線断面図である。より詳細には、図３は、ロック通路である第２の通路２３およびベント通路である第３の通路１６を示す断面図である。エンジンオイル供給路１３はオイルを供給し、スプールバルブ２２はロータの中央にスライド可能に配置されている。第３の通路１６は、過剰なオイルを排出している。
【０１１４】
　図４は、図２のＢ−Ｂ線断面図である。より詳細には、図４は、ロック通路である第２の通路２３、エンジン供給路１３および第１の通路１５を示す断面図である。スプール２２は、ロータの中央において、穴１７によって制限されつつ制御可能に移動つまりスライドし得るようになっている。
【０１１５】
　以下は、本発明の機能を示す一例である。本発明においては、ベーン１およびロックピン１１を制御するただ一つのまたはむしろ単一のスプールバルブが、スプール２２が外方に移動するとき、同時に命令を出して、２つの機能を果たしている。
【０１１６】
　第１の命令である「スプールアウト」は、ＶＣＴまたは位相器を停止端に移動させるように命令する。この停止端は、液圧通路のレイアウトに応じて、完全アドバンス位置または完全リタード位置である。ロックピン１１を完全アドバンス位置または完全リタード位置に配置することにより、ＶＣＴシステムは、自動的にロック位置を見出す。
【０１１７】
　次に、第２の命令は、供給源からのオイル供給を停止させ、第３の通路１６を介してロックピン領域のオイルを排出し、これにより、ロックピン１１を凹部１２内に係合させることである。
【０１１８】
　理解されるように、液圧通路を制御するのに別個のスプールバルブを使用する周知のＶＣＴロックシステムと比較して、また、本発明で示された中央配置のスプール２２のような単一のスプールの近傍領域を通って供給源からのオイルを導くことなく、位相器のロックおよびロック解除に供給源からの油圧を使用する周知のＶＣＴロックシステムと比較して、双方の機能をより効果的に達成することが可能になる。
【０１１９】
　言い換えれば、本発明は、図１ａないし図１ｄに示すように、上記２つの機能（すなわち、ＶＣＴの位相を変えるとともにロック機構をロックする機能）を達成する単一のスプールバルブを提供する。
【０１２０】
　さらに、本発明は、上記２つの機能を組み合わせた独特の特徴を提供している。この特徴部分は、図１ａないし図１ｄを再び参照することによって、明らかになるだろう。たとえば、スプールバルブ２２が外方（たとえば左方）に移動して零位置を通過するとき、スプール位置に基づいた第１の命令は、ＶＣＴをロック位置に移動させる。
【０１２１】
　第２の命令は、スプールバルブがさらに外方に移動した後に発せられる。したがって、スプールバルブ２２が外方に移動しているときに発生する事象の順序としては、まず、ＶＣＴを移動させて別の位置に配置し、次に、ロックピン１１を駆動することである。スプールバルブが内方（たとえば右方）に移動すときには、事象の発生順序は逆になる。
【０１２２】
　スプールバルブが零位置に到達する前であっても、スプールバルブの最初のわずかな移動がＶＣＴをロック解除する。内方に移動して零位置を通過した後では、ＶＣＴはロック位置を離れる。これは望ましいことである。
【０１２３】
　というのは、ロックピンが係合解除される前にＶＣＴを移動させるように命令すれば、ロックピンが噛み込んでしまい、ロックピンへの駆動力によりＶＣＴをロック解除することができなくなる。理解されるように、本発明は、ロック位置から離れるようにＶＣＴに命令する前に、ＶＣＴが解除できる十分な時間をＶＣＴに与える必要がある制御措置を前もって講じている。
【０１２４】
　本発明による望ましいその他の結果は、スプールバルブが内方に移動するときに生じる第１の作用がロックピン１１をロック解除するということである。このことは、ＶＣＴを移動させるように命令するほど十分に離れた位置にスプールバルブが移動する前であっても生じる。
【０１２５】
以下の事項は、本発明に関連する用語および概念である。
　上記流体が作動流体であるということが注目されるべきである。作動流体は、ベーン位相器内でベーンを移動させる流体のことである。典型的には、作動流体はエンジンオイルを含んでいるが、これとは別個の作動流体である。
【０１２６】
　本発明のＶＣＴシステムは、カムトルク駆動（ＣＴＡ）ＶＣＴシステムである。ＶＣＴシステムは、ベーンを移動させるのにエンジンバルブを開閉させる力によって生じるカムシャフト内のトルク逆転現象を使用している。
【０１２７】
　ＣＴＡシステム内の制御バルブは、アドバンスチャンバからリタードチャンバへの流体の流れを許容しており、これにより、ベーンの移動を許容しまたは流体の流れを停止させて、ベーンを所定位置にロックしている。
【０１２８】
　ＣＴＡ位相器はまた、漏れによる損失を補填するためにオイル導入口を有しているが、位相器を移動させるのにエンジンオイル圧を使用してはいない。ベーンは、チャンバ内に収容されるとともに、作動流体が作用する半径方向の部材である。ベーン位相器は、チャンバ内で移動するベーンによって駆動される位相器である。
【０１２９】
　エンジンには、一つまたはそれ以上のカムシャフトがある。カムシャフトは、ベルト、チェーン、ギヤまたは他のカムシャフトにより駆動される。カムシャフト上には、バルブを押圧するローブが設けられている。
【０１３０】
　多数本のカムシャフトを有するエンジンにおいては、大抵の場合、エグゾーストバルブ用に１本のシャフトが設けられ、インテークバルブ用に一本のシャフトが設けられている。Ｖ型エンジンは、通常、各バンクに１本ずつ２本のカムシャフトを有しているか、または各バンクにインテークバルブ用およびエグゾーストバルブ用の４本のカムシャフトを有している。
【０１３１】
　チャンバは、ベーンが回転する空間領域として定義されている。チャンバは、クランクシャフトに対してバルブを先に開放させるアドバンスチャンバと、クランクシャフトに対してバルブを後で開放させるリタードチャンバとに分割されている。
【０１３２】
　チェックバルブは、ただ一つの方向のみの流体の流れを許容するバルブとして定義されている。クローズドループは、一つの特性を他の特性に反応させて変化させるとともに、その変化が正しくなされたかどうかチェックして、所望の結果が得られるように作用を調整する制御システムとして定義されている。
【０１３３】
　たとえば、ＥＣＵからの命令に反応して位相器位置を変化させるバルブを移動させ、実際の位相器位置をチェックして、バルブを再度正規の位置に移動させる。制御バルブは、位相器への流体の流れを制御するバルブである。
【０１３４】
　制御バルブは、ＣＴＡシステムの位相器の内部に設けられている。制御バルブは、油圧またはソレノイドによって駆動される。クランクシャフトは、ピストンからの動力により、トランスミッションおよびカムシャフトを駆動する。
【０１３５】
　スプールバルブは、スプール型の制御バルブとして定義されている。典型的には、スプールは穴内に配置されて、一方の通路を他方の通路に連絡している。スプールは、大抵の場合、位相器のロータの中心軸に配置されている。
【０１３６】
　差圧制御システム（ＤＰＣＳ： differential pressure control system)は、スプールの各端部への作動流体圧を使用して、スプールバルブを移動させるシステムである。スプールの一端は他端よりも大きくなっており、一端に作用する流体は通常は油圧制御のＰＷＭバルブによって制御され、全供給圧はスプールの他端に供給されており、これにより、差圧が生じている。
【０１３７】
　バルブ制御ユニット（ＶＣＵ： valve control unit)は、ＶＣＴシステムを制御するための制御回路である。典型的には、ＶＣＵは、ＥＣＵからの命令に反応して作動する。
【０１３８】
　ドリブンシャフトは、ＶＣＴ内において動力を受ける任意のシャフトであり、大抵の場合、カムシャフトである。ドライブシャフトは、ＶＣＴ内において動力を供給する任意のシャフトであり、大抵の場合はクランクシャフトであるが、一方のカムシャフトに対する他方の駆動カムシャフトの場合もある。
【０１３９】
　ＥＣＵは、車載コンピュータであるエンジン制御ユニットである。エンジンオイルは、エンジンを潤滑するのに使用されるオイルであり、制御バルブを介して位相器を駆動するのに圧力を作用させている。
【０１４０】
　ハウジングは、チャンバを備えた位相器の外側部分として定義されている。ハウジングの外側部分は、タイミングベルト用のプーリ、タイミングチェーン用のスプロケットまたはタイミングギヤ用のギヤである。
【０１４１】
　作動流体は、ブレーキオイルやパワーステアリングオイルと同様に、液圧シリンダに使用される任意のオイルである。作動流体は、必ずしもエンジンオイルと同じでなくてもよい。
【０１４２】
　ロックピンは、位相器を所定位置にロックするように配置されている。ロックピンは、エンジン始動時や停止時のように、油圧が低すぎて位相器を保持できない場合に通常用いられる。
【０１４３】
　ＯＰＡ型のＶＣＴシステムは、ベーンを移動させるのにエンジンオイル圧をベーンの一方の側または他方の側に作用させる一般的な位相器を使用している。
【０１４４】
　オープンループは、作用を確認するフィードバックを行うことなく、一つの特性を他方の特性に反応して変化させる（たとえば、ＥＣＵからの命令信号に反応してバルブを移動させる）制御システム内で用いられている。
【０１４５】
　位相は、カムシャフトおよびクランクシャフト間（または、位相器が他方のカムによって駆動される場合にはカムシャフト間）の相対的角度位置として定義されている。位相器は、カムに据え付けられる全体の部分として定義されている。
【０１４６】
　位相器は、典型的には、ロータおよびハウジング、さらにはスプールバルブおよびチェックバルブから構成されている。ピストン位相器は、内燃機関のシリンダ内のピストンによって駆動される位相器である。ロータは、カムシャフトに装着された、位相器の内側部分である。
【０１４７】
　ＰＷＭは、電圧または流体圧のオン・オフパルスのタイミングを変化させることによって、変化する力または圧力を提供している。ソレノイドは、機械的アームを移動させるのにコイル内を流れる電流を使用する電気式アクチュエータである。
【０１４８】
　可変力ソレノイド（ＶＦＳ： variable force solenoid）は、通常は供給電流のＰＷＭによってその駆動力が変化し得るソレノイドである。ＶＦＳは、オン・オフソレノイドに対向している。
【０１４９】
　スプロケットは、エンジンタイミングチェーンのようなチェーンとともに使用される部材である。タイミングとは、ピストンが或る限定位置（通常は上死点（ＴＤＣ））に達する時間と他の事象が起こる時間との間の関係として定義される。
【０１５０】
　たとえば、ＶＣＴまたはＶＶＴシステムにおいては、タイミングは通常、バルブが開くまたは閉じるときに関係している。点火タイミングは、点火プラグが点火するときに関係している。
【０１５１】
　トーション・アシスト（ＴＡ）位相器またはトルク・アシスト位相器は、ＯＰＡ位相器の変形例であって、オイル供給ラインにチェックバルブを付加しており（つまり、単一のチェックバルブの実施態様）、または各チャンバへの供給ラインにチェックバルブを付加している（つまり、二つのチェックバルブの実施態様）。
【０１５２】
　チェックバルブは、トルク逆転による油圧パルスが油圧システム内に伝搬するのを阻止するとともに、ベーンがトルク逆転により後退するのを停止させる。ＴＡシステムにおいては、前方へのトルク効果によるベーンの動きが許容されている。このため、トーション・アシストという表現が用いられている。ベーンの動きのグラフは、階段状である。
【０１５３】
　ＶＣＴシステムは、位相器、制御バルブ、制御バルブアクチュエータおよび制御回路を有している。可変カムタイミング（ＶＣＴ）は、エンジンのインテークバルブおよび（または）エグゾーストバルブを駆動する一つまたはそれ以上のカムシャフト間の角度関係（位相）を制御しまたは変化させるための方法であって物ではない。
【０１５４】
　角度関係はまた、クランクシャフトがピストンに連結されているところのカムおよびクランクシャフト間の位相関係を含んでいる。
【０１５５】
　可変バルブタイミング（ＶＶＴ： variable valve timing）は、バルブタイミングを変化させる任意の方法である。ＶＶＴはＶＣＴに関連している。ＶＶＴは、カムの形状を変えることによって、あるいは、カムに対するカムローブの関係、カムまたはバルブに対するバルブアクチュエータの関係を変えることによって、達成される。
【０１５６】
　またＶＶＴは、電気式または液圧式アクチュエータを使用してバルブを個々に制御することによって、達成される。言い換えれば、すべてのＶＣＴはＶＶＴであるが、ＶＶＴがすべてＶＣＴであるというわけではない。
【０１５７】
　本発明が関連する分野の当業者は、上述の教示内容を考慮するとき、本発明の精神および本質的な特徴部分から外れることなく、本発明の原理を採用する種々の変形例やその他の実施態様を構築し得る。上述の実施態様はあらゆる点で単なる例示としてのみみなされるべきものであり、限定的なものではない。
【０１５８】
　それゆえ、本発明の範囲は、上記記述内容よりもむしろ添付の請求の範囲に示されている。したがって、本発明が個々の実施態様に関連して説明されてきたものの、構造、順序、材料その他の変更は、本発明の範囲内においてではあるが、当該技術分野の当業者にとって明らかであろう。
【図面の簡単な説明】
【０１５９】
【図１ａ】本発明の一実施例によるＶＣＴ機構の概略構成図であって、スプールバルブが零位置に配置された状態を示している。
【図１ｂ】本発明の一実施例によるＶＣＴ機構の概略構成図であって、スプールバルブがアドバンス位置に配置された状態を示している。
【図１ｃ】本発明の一実施例によるＶＣＴ機構の概略構成図であって、ロックピンがロック解除された状態においてスプールバルブがリタード位置におかれた状態を示している。
【図１ｄ】本発明の一実施例によるＶＣＴ機構の概略構成図であって、ロックピンがロックされた状態においてスプールバルブがリタード位置におかれた状態を示している。
【図２】導入通路および導出通路が接続されたロックピンを有するＶＣＴ位相器の横断面図である。
【図３】図２のＡ−Ａ線断面図である。
【図４】図２のＢ−Ｂ線断面図である。
【符号の説明】
【０１６０】
　８：　通路
　９：　通路
　１０：　通路
　１１：　ロックピン
　１２：　凹部
　１５：　第１の通路
　１６：　第３の通路（ベント通路）
　１８：　第１のランド
　１９：　第２のランド
　２０：　第３のランド
　２２：　スプール
　２３：　第２の通路（ロック通路）
【図１ａ】
2004108370.tif 000003
【図１ｂ】
2004108370.tif 000004
【図１ｃ】
2004108370.tif 000005
【図１ｄ】
2004108370.tif 000006
【図２】
2004108370.tif 000007
【図３】
2004108370.tif 000008
【図４】
2004108370.tif 000009